(57)【要約】【課題】出力データサイズの制限値を超えたＸ線動画像が取得された際に、出力データサイズの制限値以内でＸ線動画像の出力を可能とする仕組みを提供する。【解決手段】外部装置への出力制限値を取得する外部装置出力制限値取得手段１００４と、当該出力制限値に基づいてＸ線動画像の出力データサイズの超過判定をするＸ線動画像出力サイズ超過判定手段１００５と、Ｘ線動画像出力サイズ超過判定手段１００５によってＸ線動画像が出力制限値を超過していると判定された場合に、その旨をユーザに通知する超過判定通知手段１００８と、Ｘ線動画像出力サイズ超過判定手段１００５の判定に基づいてＸ線動画像を編集するＸ線動画像編集手段１００６と、Ｘ線動画像編集手段１００６によって編集されたＸ線動画像を基にＸ線動画像編集状態を示す表示形態をユーザに通知するＸ線動画像編集状態通知手段１００７を備える。【選択図】図１
2012176087.tif 000002
【特許請求の範囲】
【請求項１】
被検体を透過したＸ線を検出するＸ線検出器と、
前記Ｘ線検出器で生成したＸ線動画像を取得するＸ線動画像取得手段と、
前記Ｘ線動画像取得手段で取得したＸ線動画像を表示するＸ線動画像表示手段と、
前記Ｘ線動画像取得手段で取得したＸ線動画像を外部装置に出力するＸ線動画像出力手段とを有する医用画像撮影装置であって、
前記外部装置への出力制限値を取得する外部装置出力制限値取得手段と、
前記外部装置出力制限値取得手段で取得した出力制限値に基づいて前記Ｘ線動画像の出力データサイズの超過判定をするＸ線動画像出力サイズ超過判定手段と、
前記Ｘ線動画像出力サイズ超過判定手段によって前記Ｘ線動画像が前記出力制限値を超過していると判定された場合に、その旨をユーザに通知する超過判定通知手段と、
前記Ｘ線動画像出力サイズ超過判定手段の判定に基づいて前記Ｘ線動画像を編集するＸ線動画像編集手段と、
前記Ｘ線動画像編集手段によって編集された前記Ｘ線動画像を基にＸ線動画像編集状態を示す表示形態をユーザに通知するＸ線動画像編集状態通知手段と
を備えることを特徴とする医用画像撮影装置。
【請求項２】
前記外部装置出力制限値取得手段で取得される前記出力制限値は、当該医用画像撮影装置から前記外部装置に１枚のＸ線動画像の出力時における出力可能なデータサイズの上限値であることを特徴とする請求項１に記載の医用画像撮影装置。
【請求項３】
前記Ｘ線動画像出力サイズ超過判定手段は、前記Ｘ線検出器で取得するＸ線動画像における各画像フレームのデータサイズの合計を算出し、前記外部装置出力制限値取得手段で取得された前記出力制限値と比較を行って前記超過判定することを特徴とする請求項１に記載の医用画像撮影装置。
【請求項４】
前記Ｘ線動画像編集手段は、前記Ｘ線動画像を画像フレームの分割、画像フレームの切り取り、及び、各画像フレームの画像領域の縮小のうちの少なくともいずれか１つによって前記Ｘ線動画像を編集することを特徴とする請求項１に記載の医用画像撮影装置。
【請求項５】
被検体を透過したＸ線を検出するＸ線検出器と、
前記Ｘ線検出器で生成したＸ線動画像を取得するＸ線動画像取得手段と、
前記Ｘ線動画像取得手段で取得したＸ線動画像を表示するＸ線動画像表示手段と、
前記Ｘ線動画像取得手段で取得したＸ線動画像を外部装置に出力するＸ線動画像出力手段とを有する医用画像撮影装置であって、
前記外部装置への出力制限値を取得する外部装置出力制限値取得手段と、
前記外部装置出力制限値取得手段で取得した出力制限値に基づいて前記Ｘ線動画像の出力データサイズの超過判定をするＸ線動画像出力サイズ超過判定手段と、
前記Ｘ線動画像出力サイズ超過判定手段によって前記Ｘ線動画像が前記出力制限値を超過していると判定された場合に、その旨をユーザに通知する超過判定通知手段と、
前記Ｘ線動画像出力サイズ超過判定手段の判定に基づいて前記Ｘ線動画像を編集するＸ線動画像編集手段と、
前記Ｘ線動画像編集手段によって編集された前記Ｘ線動画像を基にＸ線動画像編集状態を示す表示形態をユーザに通知するＸ線動画像編集状態通知手段と、
前記Ｘ線動画像編集手段は、前記Ｘ線動画像編集状態通知手段によって通知される前記Ｘ線動画像編集状態における前記Ｘ線動画像を再度、編集するものであり、当該Ｘ線動画像編集手段によって前記Ｘ線動画像が編集されたことを検知するＸ線動画像編集検知手段と、
前記Ｘ線動画像編集検知手段で前記Ｘ線動画像が編集されたことを検知した場合に、前記Ｘ線動画像出力サイズ超過判定手段において前記編集された前記Ｘ線動画像の前記超過判定を実施し、前記Ｘ線動画像編集状態通知手段によって再度、通知することを制御するＸ線動画像編集制御手段と
を備えることを特徴とする医用画像撮影装置。
【請求項６】
前記外部装置出力制限値取得手段で取得される前記出力制限値は、当該医用画像撮影装置から前記外部装置に１枚のＸ線動画像の出力時における出力可能なデータサイズの上限値であることを特徴とする請求項５に記載の医用画像撮影装置。
【請求項７】
前記Ｘ線動画像出力サイズ超過判定手段は、前記Ｘ線検出器で取得するＸ線動画像における各画像フレームのデータサイズの合計を算出し、前記外部装置出力制限値取得手段で取得された前記出力制限値と比較を行って前記超過判定することを特徴とする請求項５に記載の医用画像撮影装置。
【請求項８】
前記Ｘ線動画像編集手段は、前記Ｘ線動画像を画像フレームの分割、画像フレームの切り取り、及び、各画像フレームの画像領域の縮小のうちの少なくともいずれか１つによって前記Ｘ線動画像を編集することを特徴とする請求項５に記載の医用画像撮影装置。
【請求項９】
前記Ｘ線動画像編集状態通知手段は、前記Ｘ線動画像編集手段によってＸ線動画像が編集される度に前記表示形態を変更することを特徴とする請求項５に記載の医用画像撮影装置。
【請求項１０】
被検体を透過したＸ線を検出するＸ線検出器と、
前記Ｘ線検出器で生成したＸ線動画像を取得するＸ線動画像取得手段と、
前記Ｘ線動画像取得手段で取得したＸ線動画像を表示するＸ線動画像表示手段と、
前記Ｘ線動画像取得手段で取得したＸ線動画像を外部装置に出力するＸ線動画像出力手段とを有する医用画像撮影装置の制御方法であって、
前記外部装置への出力制限値を取得する外部装置出力制限値取得ステップと、
前記外部装置出力制限値取得ステップで取得した出力制限値に基づいて前記Ｘ線動画像の出力データサイズの超過判定をするＸ線動画像出力サイズ超過判定ステップと、
前記Ｘ線動画像出力サイズ超過判定ステップによって前記Ｘ線動画像が前記出力制限値を超過していると判定された場合に、ユーザに通知する超過判定通知ステップと、
前記Ｘ線動画像出力サイズ超過判定ステップの判定に基づいてＸ線動画像編集手段において前記Ｘ線動画像を編集するＸ線動画像編集ステップと、
前記Ｘ線動画像編集手段によって編集された前記Ｘ線動画像を基にＸ線動画像編集状態を示す表示形態をユーザに通知するＸ線動画像編集状態通知ステップと
を備えることを特徴とする医用画像撮影装置の制御方法。
【請求項１１】
被検体を透過したＸ線を検出するＸ線検出器と、
前記Ｘ線検出器で生成したＸ線動画像を取得するＸ線動画像取得手段と、
前記Ｘ線動画像取得手段で取得したＸ線動画像を表示するＸ線動画像表示手段と、
前記Ｘ線動画像取得手段で取得したＸ線動画像を外部装置に出力するＸ線動画像出力手段とを有する医用画像撮影装置の制御方法であって、
前記外部装置への出力制限値を取得する外部装置出力制限値取得ステップと、
前記外部装置出力制限値取得ステップで取得した出力制限値に基づいて前記Ｘ線動画像の出力データサイズの超過判定をするＸ線動画像出力サイズ超過判定ステップと、
前記Ｘ線動画像出力サイズ超過判定ステップによって前記Ｘ線動画像が前記出力制限値を超過していると判定された場合に、ユーザに通知する超過判定通知ステップと、
前記Ｘ線動画像出力サイズ超過判定ステップの判定に基づいてＸ線動画像編集手段において前記Ｘ線動画像を編集するＸ線動画像編集ステップと、
前記Ｘ線動画像編集手段によって編集された前記Ｘ線動画像を基にＸ線動画像編集状態を示す表示形態をユーザに通知するＸ線動画像編集状態通知ステップと、
前記Ｘ線動画像編集手段は、前記Ｘ線動画像編集状態通知ステップによって通知される前記Ｘ線動画像編集状態における前記Ｘ線動画像を再度、編集するものであり、当該Ｘ線動画像編集手段によって前記Ｘ線動画像が編集されたことを検知するＸ線動画像編集検知ステップと、
前記Ｘ線動画像編集検知ステップで前記Ｘ線動画像が編集されたことを検知した場合に、前記Ｘ線動画像出力サイズ超過判定ステップにおいて前記編集された前記Ｘ線動画像の前記超過判定を実施し、前記Ｘ線動画像編集状態通知ステップによって再度、通知することを制御するＸ線動画像編集制御ステップと
を備えることを特徴とする医用画像撮影装置の制御方法。
【発明の詳細な説明】
【技術分野】
【０００１】
本発明は、被検体を透過したＸ線を検出し、Ｘ線撮影画像を生成するＸ線検出器を有する医用画像撮影装置及びその制御方法に関する。より詳細には、本発明は、Ｘ線検出器においてＸ線動画像を生成し、生成したＸ線動画像を外部装置に出力する医用画像撮影装置及びその制御方法に関する。
【背景技術】
【０００２】
医用画像撮影装置として用いられるＸ線撮影装置としては、従来、次のようなものが知られている。まず、被検体にＸ線を照射するＸ線照射装置が、天井吊り保持装置によって天井から吊って保持されている。この天井吊り保持装置は、Ｘ線照射装置を上下左右に駆動移動できるように構成されている。そして、Ｘ線照射装置に被検体を挟んで対向するように、被検体を透過したＸ線信号を検出するＸ線検出器を有するＸ線検出装置が設けられている。そして、このＸ線検出装置が立位撮影台に上下方向に駆動移動可能に設けられている。
【０００３】
Ｘ線検出装置には、Ｘ線検出器で検出したＸ線信号を読み出して画像データを収集する画像データ収集装置と、この画像データ収集装置で収集した画像データに各種の画像処理を施して所望の画像データを得る画像処理装置とが接続されている。
【０００４】
医用画像撮影装置において、Ｘ線検出器により動画撮影を実施することでＸ線動画像を取得する手法が普及し始めている。ただし、Ｘ線動画像は、撮影時間及びフレーム数に応じて動画像のデータサイズが肥大化する。それにより、出力時のデータサイズにおける制限値を超えた場合に出力できない可能性がある。
【０００５】
転送時の画像のデータサイズ及びフィルムサイズを変更する手段としては、例えば、静止画撮影した画像の有効表示領域と出力先のフィルム印刷に使用するフィルムの大きさに基づいて、画像データの拡大率を求める手段がある（下記の特許文献１参照）。
また、静止画医用画像情報と患者文字情報とを合成した画像テンプレートを出力先の記録紙上の配置方法によりテンプレート画像を拡大・縮小を行った後にテンプレート出力する手段がある（下記の特許文献２参照）。
【先行技術文献】
【特許文献】
【０００６】
【特許文献１】特開２０１０−１６７１８８号公報
【特許文献２】特開２００６−１５８６４７号公報
【発明の概要】
【発明が解決しようとする課題】
【０００７】
しかしながら、上述した従来例の場合、Ｘ線静止画像に関して拡大・縮小を行うが、Ｘ線動画像に対して行うものではない。さらに、出力先の出力先情報に基づいて画像のデータサイズを変更しているが、出力先への出力データサイズに応じて画像のデータサイズを変更しているものではない。また、Ｘ線動画像撮影において、Ｘ線動画像の出力時に出力データサイズが制限されている場合では、その制限値を超えるようなＸ線動画撮影を行うことができなかった。
【０００８】
本発明は、このような問題点に鑑みてなされたものであり、出力データサイズの制限値を超えたＸ線動画像が取得された際に、出力データサイズの制限値以内でＸ線動画像の出力を可能とする仕組みを提供することを目的とする。
【課題を解決するための手段】
【０００９】
本発明の医用画像撮影装置は、被検体を透過したＸ線を検出するＸ線検出器と、前記Ｘ線検出器で生成したＸ線動画像を取得するＸ線動画像取得手段と、前記Ｘ線動画像取得手段で取得したＸ線動画像を表示するＸ線動画像表示手段と、前記Ｘ線動画像取得手段で取得したＸ線動画像を外部装置に出力するＸ線動画像出力手段とを有する医用画像撮影装置であって、前記外部装置への出力制限値を取得する外部装置出力制限値取得手段と、前記外部装置出力制限値取得手段で取得した出力制限値に基づいて前記Ｘ線動画像の出力データサイズの超過判定をするＸ線動画像出力サイズ超過判定手段と、前記Ｘ線動画像出力サイズ超過判定手段によって前記Ｘ線動画像が前記出力制限値を超過していると判定された場合に、その旨をユーザに通知する超過判定通知手段と、前記Ｘ線動画像出力サイズ超過判定手段の判定に基づいて前記Ｘ線動画像を編集するＸ線動画像編集手段と、前記Ｘ線動画像編集手段によって編集された前記Ｘ線動画像を基にＸ線動画像編集状態を示す表示形態をユーザに通知するＸ線動画像編集状態通知手段とを備える。
本発明の医用画像撮影装置における他の態様は、被検体を透過したＸ線を検出するＸ線検出器と、前記Ｘ線検出器で生成したＸ線動画像を取得するＸ線動画像取得手段と、前記Ｘ線動画像取得手段で取得したＸ線動画像を表示するＸ線動画像表示手段と、前記Ｘ線動画像取得手段で取得したＸ線動画像を外部装置に出力するＸ線動画像出力手段とを有する医用画像撮影装置であって、前記外部装置への出力制限値を取得する外部装置出力制限値取得手段と、前記外部装置出力制限値取得手段で取得した出力制限値に基づいて前記Ｘ線動画像の出力データサイズの超過判定をするＸ線動画像出力サイズ超過判定手段と、前記Ｘ線動画像出力サイズ超過判定手段によって前記Ｘ線動画像が前記出力制限値を超過していると判定された場合に、その旨をユーザに通知する超過判定通知手段と、前記Ｘ線動画像出力サイズ超過判定手段の判定に基づいて前記Ｘ線動画像を編集するＸ線動画像編集手段と、前記Ｘ線動画像編集手段によって編集された前記Ｘ線動画像を基にＸ線動画像編集状態を示す表示形態をユーザに通知するＸ線動画像編集状態通知手段と、前記Ｘ線動画像編集手段は、前記Ｘ線動画像編集状態通知手段によって通知される前記Ｘ線動画像編集状態における前記Ｘ線動画像を再度、編集するものであり、当該Ｘ線動画像編集手段によって前記Ｘ線動画像が編集されたことを検知するＸ線動画像編集検知手段と、前記Ｘ線動画像編集検知手段で前記Ｘ線動画像が編集されたことを検知した場合に、前記Ｘ線動画像出力サイズ超過判定手段において前記編集された前記Ｘ線動画像の前記超過判定を実施し、前記Ｘ線動画像編集状態通知手段によって再度、通知することを制御するＸ線動画像編集制御手段とを備える。
また、本発明は、上述した医用画像撮影装置による制御方法を含む。
【発明の効果】
【００１０】
本発明によれば、出力データサイズの制限値を超えたＸ線動画像が取得された際に、Ｘ線動画像を編集することで、出力データサイズの制限値以内でＸ線動画像の出力を可能とすることができる。したがって、Ｘ線動画像の出力時に出力データサイズが制限されている場合でも、当該制限値でＸ線動画像撮影を停止せずにＸ線動画像撮影を行うことができる。
【図面の簡単な説明】
【００１１】
【図１】本発明の第１の実施形態に係る医用画像撮影装置の全体構成の一例を示すブロック図である。
【図２】本発明の第１の実施形態に係る医用画像撮影装置の制御方法における処理手順の一例を示すフローチャートである。
【図３】本発明の第１の実施形態を示し、図１に示すＸ線動画像編集手段による編集例を示す模式図である。
【図４】本発明の第１の実施形態を示し、図１に示すＸ線動画像編集状態通知手段による表示形態の一例を示す模式図である。
【図５】本発明の第２の実施形態に係る医用画像撮影装置の全体構成の一例を示すブロック図である。
【図６】本発明の第２の実施形態に係る医用画像撮影装置の制御方法における処理手順の一例を示すフローチャートである。
【発明を実施するための形態】
【００１２】
以下に、図面を参照しながら、本発明を実施するための形態（実施形態）について説明する。なお、本発明は、以下の実施形態に限定されるものではなく、本発明の実施に好適な具体例を示すにすぎない。また、以下の実施形態の中で説明されている特徴の組み合わせの全てが本発明の課題解決手段として必須のものであるとは限らない。
【００１３】
（第１の実施形態）
図１は、本発明の第１の実施形態に係る医用画像撮影装置の全体構成の一例を示すブロック図である。
図１に示す医用画像撮影装置は、Ｘ線検出器１０００、Ｘ線動画像取得手段１００１、Ｘ線動画像表示手段１００２、Ｘ線動画像出力手段１００３を有して構成されている。さらに、図１に示す医用画像撮影装置は、外部装置出力制限値取得手段１００４、Ｘ線動画像出力サイズ超過判定手段１００５、Ｘ線動画像編集手段１００６、Ｘ線動画像編集状態通知手段１００７、超過判定通知手段１００８を有して構成されている。
【００１４】
ここで、Ｘ線検出器１０００は、被検体を透過したＸ線を検出するフラットパネル型Ｘ線検出器（ＦＰＤ）である。このＸ線検出器１０００は、連続撮影を行うことでＸ線動画像を生成することが可能であり、Ｘ線検出器１０００で生成されたＸ線動画像を取得する手段としてＸ線動画像取得手段１００１が設けられている。
【００１５】
さらに、Ｘ線動画像取得手段１００１で取得されたＸ線動画像は、Ｘ線動画像表示手段１００２によりモニタに表示され、ユーザに通知される。また、外部出力装置にＸ線動画像を出力する手段としてＸ線動画像出力手段１００３が設けられている。
【００１６】
Ｘ線動画像出力サイズ超過判定手段１００５では、Ｘ線動画像の出力データサイズをＰＡＣＳ（Picture Archiving and Communication System）の外部出力装置への出力時に出力制限値を超過しているかを判定する。まず、外部出力装置に１枚のＸ線動画像の出力時における出力データサイズの上限値を出力制限値として外部装置出力制限値取得手段１００４で取得する。そして、例えばＸ線動画像出力サイズ超過判定手段１００５は、Ｘ線動画像取得手段１００１で取得されるＸ線動画像の各画像フレームのデータサイズの合計を算出し、出力データサイズを算出する。そして、Ｘ線動画像出力サイズ超過判定手段１００５は、算出した出力データサイズと出力制限値とを比較することで超過判定をする。そして、この超過判定に基づいて、超過判定通知手段１００８において、その旨をモニタでユーザに通知する。
【００１７】
次に、Ｘ線動画像出力サイズ超過判定手段１００５による判定の結果、出力データサイズが出力制限値を超過していた場合には、Ｘ線動画像編集手段１００６において、Ｘ線動画像を出力制限値以内になるように編集を実施する。編集されたＸ線動画像の出力状態情報は、Ｘ線動画像編集状態通知手段１００７により、モニタの表示媒体でユーザに通知される。即ち、Ｘ線動画像編集状態通知手段１００７は、Ｘ線動画像編集手段１００６によって編集されたＸ線動画像を基にＸ線動画像編集状態を示す表示形態をユーザに通知する。そして、Ｘ線動画像出力手段１００３で外部出力装置に編集後のＸ線動画像を出力する。
【００１８】
図２は、本発明の第１の実施形態に係る医用画像撮影装置の制御方法における処理手順の一例を示すフローチャートである。
まず、ステップＳ２００１において、外部装置出力制限値取得手段１００４は、接続されている外部出力装置から出力時の出力制限値を取得する（外部装置出力制限値取得ステップ）。
【００１９】
続いて、ステップＳ２００２において、Ｘ線検出器１０００は、Ｘ線動画像撮影を実施する。
【００２０】
続いて、ステップＳ２００３において、Ｘ線動画像取得手段１００１は、ステップＳ２００２で検出（撮影）されたＸ線動画像を取得する。
【００２１】
続いて、ステップＳ２００４において、Ｘ線動画像出力サイズ超過判定手段１００５は、ステップＳ２００３で取得されたＸ線動画像の出力データサイズとステップＳ２００１で取得された出力制限値とを比較する。そして、Ｘ線動画像出力サイズ超過判定手段１００５は、Ｘ線動画像の出力データサイズが出力制限値を超過しているか否かを判定する。この際、超過判定通知手段１００８は、この超過判定について、その旨をモニタでユーザに通知する。例えば、超過判定通知手段１００８は、Ｘ線動画像出力サイズ超過判定手段１００５によってＸ線動画像が出力制限値を超過していると判定された場合に、その旨をユーザに通知する。
【００２２】
ステップＳ２００４の判定の結果、Ｘ線動画像の出力データサイズが出力制限値を超過している場合には、ステップＳ２００５に進む。
ステップＳ２００５に進むと、Ｘ線動画像編集手段１００６は、ステップＳ２００３で取得されたＸ線動画像を編集して、Ｘ線動画像の出力データサイズを出力制限値以内にする。
【００２３】
続いて、ステップＳ２００６において、Ｘ線動画像編集状態通知手段１００７は、ステップＳ２００５で編集したＸ線動画像編集状態をユーザに通知する。
【００２４】
ステップＳ２００６の処理が終了した場合、或いは、ステップＳ２００４においてＸ線動画像の出力データサイズが出力制限値を超過していないと判定された場合には、ステップＳ２００７に進む。
ステップＳ２００７に進むと、Ｘ線動画像出力手段１００３は、編集が行われた場合には、編集したＸ線動画像を外部出力装置に出力する。また、Ｘ線動画像出力手段１００３は、編集が行われなかった場合（ステップＳ２００４でＸ線動画像の出力データサイズが出力制限値を超過していない場合）には、Ｘ線動画像を未編集で外部出力装置に出力する。なお、Ｘ線画像の出力形態として、Ｘ線動画像表示手段１００２が編集／未編集のＸ線動画像をモニタに出力する形態であってもよい。以上により、図２のフローチャートの処理が終了する。
【００２５】
次に、上述した外部装置出力制限値取得手段１００４で取得する出力制限値の一例を以下に示す。
ＰＡＣＳの外部出力装置への出力時には、ＤＩＣＯＭ規約を保守する必要がある。特に、ＤＩＣＯＭ規約で定められたＰｉｘｅｌ  Ｄａｔａ（７ＦＥ０，００１０）タグのデータサイズ容量の最大値は４ＧＢである。そして、画像出力時にＰｉｘｅｌ  Ｄａｔａ（７ＦＥ０，００１０）タグの最大値のデータサイズを超える場合には、ＤＩＣＯＭ規約違反で出力が不可能となる。Ｐｉｘｅｌ  Ｄａｔａ（７ＦＥ０，００１０）タグに付随可能なＸ線動画像のデータサイズは４ＧＢ以下であるので、ここでは、出力制限値として４ＧＢを取得する。
【００２６】
次に、上述したＸ線動画像編集手段１００６による編集例について説明する。
図３は、本発明の第１の実施形態を示し、図１に示すＸ線動画像編集手段１００６による編集例を示す模式図である。
【００２７】
Ｘ線動画像編集手段１００６による編集例としては、例えば、Ｘ線動画像を出力制限値以内に分割する方法が挙げられる（図３（ａ）参照）。Ｘ線動画像を分割した場合には、ＳＯＰ  Ｉｎｓｔａｎｃｅ  ＵＩＤ（０００８，００１８）タグを分割後のＸ線動画像毎に異なるように生成する。しかしながら、Ａｃｑｕｉｓｉｔｉｏｎ  Ｄａｔｅ（０００８，００２２）及びＡｃｑｕｉｓｉｔｉｏｎ  Ｔｉｍｅ（０００８，００３２）は、分割後のＸ線動画像すべてで同一となるため、分割後のＸ線動画像を同一グループとして関連付けることが可能である。分割後の各Ｘ線動画像のデータサイズが出力制限値を超過しなければ、ユーザで任意に決定することができる。
【００２８】
また、Ｘ線動画像編集手段１００６による他の編集例としては、Ｘ線動画像の一部の画像フレームを切り取る（削除する）ことで、出力制限値以内とすることが挙げられる（図３（ｂ）参照）。Ｘ線動画像の全てのフレームの画像のデータサイズの合計値が出力制限値を超えているため、不必要な画像フレームを出力画像に含めないようにすることで出力画像のデータサイズを出力制限値以内に収めるものである。ここで、不必要な画像フレーム位置は、システム設定により撮影手技に応じて自動で決定することも可能であり、ユーザの任意の位置を指定することも可能である。
【００２９】
さらに、Ｘ線動画像編集手段１００６によるその他の編集例としては、Ｘ線動画像の画像サイズを縮小することで出力制限値以内とすることが挙げられる（図３（ｃ）参照）。Ｘ線動画像の各画像フレームのデータサイズを縮小することで、Ｘ線動画像全体の画像のデータサイズを減少させる手技である。縮小する画像の領域は出力制限値を超えない範囲でユーザ任意で設定可能であり、また、縮小領域の中心はユーザ任意で設定可能である。
【００３０】
即ち、Ｘ線動画像編集手段１００６は、Ｘ線動画像を画像フレームの分割、画像フレームの切り取り、及び、各画像フレームの画像領域の縮小のうちの少なくともいずれか１つによってＸ線動画像を編集する。
【００３１】
図４は、本発明の第１の実施形態を示し、図１に示すＸ線動画像編集状態通知手段１００７による表示形態の一例を示す模式図である。
編集されたＸ線動画像をユーザに通知するＸ線動画像編集状態通知手段１００７の表示形態の例を以下に説明する。
【００３２】
上述したＸ線動画像編集手段１００６による画像分割（図３（ａ））の表示形態は、例えば、図４（ａ）に示すものとなる。図４（ａ）に示すように、１つのタイムラインが２つのタイムラインに分割することでＸ線動画像が分割したことを示す。分割の数によりタイムラインの数も変動する。
【００３３】
次に、上述したＸ線動画像編集手段１００６による画像フレームの切り取り（削除する）（図３（ｂ））の表示形態は、例えば、図４（ｂ）、図４（ｃ））に示すものとなる。図４（ｂ）、図４（ｃ）に示すように、タイムライン上で切り取り部分と非切り取り部分との表示を変えることで画像フレームの切り取り部分を示す。
【００３４】
次に、上述したＸ線動画像編集手段１００６によるＸ線動画像の画像サイズの縮小（図３（ｃ））の表示形態は、例えば、図４（ｄ）に示すものとなる。図４（ｄ）に示すように、タイムライン上で画像領域（画像サイズ）が縮小されている部分のタイムライン表示を変更する。特に、図４（ｄ）の塗潰し領域は、画像のデータサイズの縮小規模により変更される。
【００３５】
（第２の実施形態）
図５は、本発明の第２の実施形態に係る医用画像撮影装置の全体構成の一例を示すブロック図である。
図５に示す医用画像撮影装置は、図１に示す第１の実施形態に係る医用画像撮影装置による構成に加えて、Ｘ線動画像編集制御手段１００９及びＸ線動画像編集検知手段１０１０が更に構成されている。
【００３６】
ここで、Ｘ線動画像編集制御手段１００９は、以下の方法でＸ線動画像の編集を制御する。第１の実施形態と同様に、Ｘ線動画像編集状態通知手段１００７でユーザにＸ線動画像の編集状態が通知された後に、Ｘ線動画像編集手段１００６でユーザが編集をした場合には、その編集作業をＸ線動画像編集検知手段１０１０で検知する。
【００３７】
そして、Ｘ線動画像編集検知手段１０１０で編集作業が検知された場合には、その編集後のＸ線動画像が外部装置出力制限値取得手段１００４で取得した出力制限値を超えていないかをＸ線動画像出力サイズ超過判定手段１００５で判定する。そして、編集後のＸ線動画像が出力制限値を超過している場合には、超過判定通知手段１００８においてユーザにＸ線動画像が出力制限値を超過していることをモニタで表示し再編集を促す。一方、編集後のＸ線動画像が出力制限値を超過していない場合には、Ｘ線動画像編集状態通知手段１００７により現在のＸ線動画像の編集状態をユーザに通知し、問題がなければＸ線動画像を外部出力装置に出力する。
【００３８】
図６は、本発明の第２の実施形態に係る医用画像撮影装置の制御方法における処理手順の一例を示すフローチャートである。
まず、ステップＳ２１０１において、外部装置出力制限値取得手段１００４は、接続されている外部出力装置から出力時の出力制限値を取得する（外部装置出力制限値取得ステップ）。
【００３９】
続いて、ステップＳ２１０２において、Ｘ線検出器１０００は、Ｘ線動画像撮影を実施する。
【００４０】
続いて、ステップＳ２１０３において、Ｘ線動画像取得手段１００１は、ステップＳ２１０２で検出（撮影）されたＸ線動画像を取得する。
【００４１】
続いて、ステップＳ２１０４において、Ｘ線動画像出力サイズ超過判定手段１００５は、ステップＳ２１０３で取得されたＸ線動画像の出力データサイズとステップＳ２１０１で取得された出力制限値とを比較する。そして、Ｘ線動画像出力サイズ超過判定手段１００５は、Ｘ線動画像の出力データサイズが出力制限値を超過しているか否かを判定する。この際、超過判定通知手段１００８は、この超過判定について、モニタでユーザに通知する。
【００４２】
ステップＳ２１０４の判定の結果、Ｘ線動画像の出力データサイズが出力制限値を超過している場合には、ステップＳ２１０５に進む。
ステップＳ２１０５に進むと、例えばＸ線動画像編集手段１００６は、ステップＳ２１０３で取得されたＸ線動画像を自動編集して、Ｘ線動画像の出力データサイズを出力制限値以内にする。
【００４３】
続いて、ステップＳ２１０６において、Ｘ線動画像編集状態通知手段１００７は、編集したＸ線動画像編集状態をユーザに通知する。
【００４４】
続いて、ステップＳ２１０７において、例えばＸ線動画像編集制御手段１００９は、ステップＳ２１０６で通知されたＸ線動画像の編集状態では不都合があり、手動にてＸ線動画像の編集が必要であるか否かを判定する。この判定の結果、手動にてＸ線動画像の編集が必要である場合には、ステップＳ２１０８に進む。
ステップＳ２１０８に進むと、例えばＸ線動画像編集手段１００６は、Ｘ線動画像を手動（マニュアル）で編集する。
【００４５】
続いて、ステップＳ２１０９において、例えばＸ線動画像出力サイズ超過判定手段１００５は、Ｘ線動画像の出力データサイズが出力制限値以下であるか否かを判定する。この判定の結果、Ｘ線動画像の出力データサイズが出力制限値以下である場合には、ステップＳ２１０６に戻る。
【００４６】
一方、ステップＳ２１０９の判定の結果、Ｘ線動画像の出力データサイズが出力制限値以下でない（即ち、Ｘ線動画像の出力データサイズが出力制限値を超過している）場合には、ステップＳ２１１０に進む。
ステップＳ２１１０に進むと、超過判定通知手段１００８は、Ｘ線動画像の出力データサイズが出力制限値を超過している旨の警告表示をユーザに通知し、再編集を促す。その後、ステップＳ２１０８に戻る。
【００４７】
また、ステップＳ２１０４でＸ線動画像の出力データサイズが出力制限値を超過していないと判定された場合、或いは、ステップＳ２１０７で手動にてＸ線動画像の編集が必要でないと判定された場合には、ステップＳ２１１１に進む。
ステップＳ２１１１に進むと、Ｘ線動画像出力手段１００３は、現在のＸ線動画像を外部出力装置に出力する。なお、Ｘ線画像の出力形態として、Ｘ線動画像表示手段１００２が現在のＸ線動画像をモニタに出力する形態であってもよい。以上により、図６のフローチャートの処理が終了する。
【００４８】
次に、Ｘ線動画像編集制御手段１００９によりＸ線動画像の編集を制御する一例を示す。まず、図６のステップＳ２１０１で外部出力装置の出力制限値を４ＧＢ取得し、ステップＳ２１０３でＸ線動画像を８ＧＢ取得したとする。この場合、Ｘ線動画像が出力制限値を超えているため、出力制限値の４ＧＢ以内に収める必要がある。そこで、ステップＳ２１０５でＸ線動画像の各フレームの画像のデータサイズを縮小する（図３（ｃ））ことで出力制限値以内に収める手段を実施する。現在、８ＧＢを４ＧＢまで減少する必要があるため、ここでは、各フレームの画像のデータサイズを半分まで縮小する。
【００４９】
これにより、Ｘ線動画像を外部出力装置に出力可能となる。しかしながら、縮小したＸ線動画像には出力に不要なフレームが存在しており、全てのフレームを出力するには出力時間が無駄である。そこで、ステップＳ２１０８において手動で画像編集を実施する。現在、Ｘ線動画像に出力に不要なフレームが存在しているので、手動で画像フレームを切り取る（削除する）。また、画像フレームを切り取ることでＸ線動画像全体の画像のデータサイズは減少する。これにより、画像領域の縮小を初回決定時より拡大することが可能である。
【００５０】
次に、ステップＳ２１０８で画像編集したＸ線動画像全体の画像サイズが出力制限値を超過していないかをステップＳ２１０９で判定する。もし、判定の結果で不都合がある場合には、ステップＳ２１１０でユーザに警告を通知して再度画像編集を実施するように促す。この判定の結果が正常になるまで、編集を実施する。判定の結果が正常になった場合は、ステップＳ２１０６でＸ線動画像の画像編集状態を通知して、もしその状態で問題がないのであれば、編集後のＸ線動画像を外部出力装置に出力を実施する。
【００５１】
本実施形態では、Ｘ線動画像編集手段１００６は、Ｘ線動画像編集状態通知手段１００７によって通知されるＸ線動画像編集状態におけるＸ線動画像を必要に応じて再度、編集するものである。Ｘ線動画像編集検知手段１０１０は、Ｘ線動画像編集手段１００６によってＸ線動画像が編集されたことを検知する。そして、Ｘ線動画像編集制御手段１００９は、Ｘ線動画像編集検知手段１０１０でＸ線動画像が編集されたことを検知した場合に、Ｘ線動画像出力サイズ超過判定手段１００５において編集されたＸ線動画像の超過判定を実施し、Ｘ線動画像編集状態通知手段１００７によって再度、通知することを制御する。
また、Ｘ線動画像編集状態通知手段１００７は、Ｘ線動画像編集手段１００６によってＸ線動画像が編集される度に通知に係る表示形態を変更する。
【００５２】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５３】
１０００  Ｘ線検出器、１００１  Ｘ線動画像取得手段、１００２  Ｘ線動画像表示手段、１００３  Ｘ線動画像出力手段、１００４  外部装置出力制限値取得手段、１００５  Ｘ線動画像出力サイズ超過判定手段、１００６  Ｘ線動画像編集手段、１００７  Ｘ線動画像編集状態通知手段、１００８  超過判定通知手段
【図１】
2012176087.tif 000003
【図２】
2012176087.tif 000004
【図３】
2012176087.tif 000005
【図４】
2012176087.tif 000006
【図５】
2012176087.tif 000007
【図６】
2012176087.tif 000008